(57)【特許請求の範囲】
【請求項１】
光を透過させて表示画像を表示する表示パネルに入射させる光であって、バックライトに射出させる光の輝度を示すバックライト輝度を、前記表示画像の画像信号に基づいて算出する輝度算出手段と、
これから表示しようとする前記表示画像である未表示画像が動画像である場合、前記未表示画像よりも時間的に前に表示される前記表示画像である前表示画像の前記バックライト輝度を補正する、前記バックライト輝度の不足を抑制するためのマージンとしての補正値を増加させて、前記未表示画像の前記補正値とし、前記未表示画像が静止画像である場合、前記前表示画像の前記補正値を減少させて前記未表示画像の前記補正値とする補正値変更手段と、
前記補正値変更手段により変更された前記補正値を、前記未表示画像の前記バックライト輝度に加算することで、前記バックライト輝度を補正する補正手段と
を備える表示制御装置。
【請求項２】
前記未表示画像が動画像である場合、前記未表示画像の前記補正値の上限値を設定し、前記補正値が前記上限値より大きいとき、前記上限値を前記未表示画像の前記補正値とする制限手段をさらに備える
請求項１に記載の表示制御装置。
【請求項３】
前記画像信号に基づいて、前記未表示画像から動きを検出する動き検出手段をさらに備え、
前記制限手段は、前記未表示画像から検出された動きの動き量に応じた前記上限値を設定する
請求項２に記載の表示制御装置。
【請求項４】
前記制限手段は、前記未表示画像が静止画像である場合、前記未表示画像の前記補正値の下限値を設定し、前記補正値が前記下限値より小さいとき、前記下限値を前記未表示画像の前記補正値とする
請求項３に記載の表示制御装置。
【請求項５】
前記制限手段は、前記表示画像が動画像であり、前記前表示画像の前記補正値が、前記未表示画像の前記上限値より大きい場合、前記上限値の設定を解除するとともに前記下限値を設定し、
前記補正値変更手段は、前記前表示画像の前記補正値を減少させて前記未表示画像の前記補正値とする
請求項４に記載の表示制御装置。
【請求項６】
光を透過させて表示画像を表示する表示パネルに入射させる光であって、バックライトに射出させる光の輝度を示すバックライト輝度を、前記表示画像の画像信号に基づいて算出する輝度算出手段と、
これから表示しようとする前記表示画像である未表示画像が動画像である場合、前記未表示画像よりも時間的に前に表示される前記表示画像である前表示画像の前記バックライト輝度を補正する、前記バックライト輝度の不足を抑制するためのマージンとしての補正値を増加させて、前記未表示画像の前記補正値とし、前記未表示画像が静止画像である場合、前記前表示画像の前記補正値を減少させて前記未表示画像の前記補正値とする補正値変更手段と、
前記補正値変更手段により変更された前記補正値を、前記未表示画像の前記バックライト輝度に加算することで、前記バックライト輝度を補正する補正手段と
を備える表示制御装置の表示制御方法であって、
前記輝度算出手段が、前記未表示画像の前記画像信号に基づいて、前記未表示画像の前記バックライト輝度を算出し、
前記補正値変更手段が、前記未表示画像が動画像である場合、前記前表示画像の前記補正値を増加させて、前記未表示画像の前記補正値とし、前記未表示画像が静止画像である場合、前記前表示画像の前記補正値を減少させて前記未表示画像の前記補正値とし、
前記補正手段が、変更された前記補正値を、前記未表示画像の前記バックライト輝度に加算することで、前記バックライト輝度を補正する
ステップを含む表示制御方法。
【請求項７】
光を透過させて表示画像を表示する表示パネルに入射させる光であって、バックライトに射出させる光の輝度を示すバックライト輝度を、前記表示画像の画像信号に基づいて算出し、
これから表示しようとする前記表示画像である未表示画像が動画像である場合、前記未表示画像よりも時間的に前に表示される前記表示画像である前表示画像の前記バックライト輝度を補正する、前記バックライト輝度の不足を抑制するためのマージンとしての補正値を増加させて、前記未表示画像の前記補正値とし、前記未表示画像が静止画像である場合、前記前表示画像の前記補正値を減少させて前記未表示画像の前記補正値とし、
変更された前記補正値を、前記未表示画像の前記バックライト輝度に加算することで、前記バックライト輝度を補正する
ステップを含む処理をコンピュータに実行させるプログラム。
【発明の詳細な説明】
【技術分野】
【０００１】
本発明は表示制御装置および方法、並びにプログラムに関し、特に、複数のバックライトを用いて液晶パネルに画像を表示させる場合に用いて好適な表示制御装置および方法、並びにプログラムに関する。
【背景技術】
【０００２】
従来、透過型の液晶パネルを利用した液晶表示装置として、複数のバックライトを用いることで、液晶パネル上の表示領域ごとに入射させる光の量を変化させ、表示される画像の輝度のダイナミックレンジ拡大を実現するものが提案されている（例えば、特許文献１参照）。つまり、この液晶表示装置によれば、表示される画像のコントラストを向上させることができる。
【０００３】
【特許文献１】特開２００７−３２２９０１号公報
【発明の開示】
【発明が解決しようとする課題】
【０００４】
ところで、複数のバックライトのそれぞれが、液晶パネルの対応する表示領域のそれぞれに光を入射させる場合、図１に示すように、各バックライトが発光すべき光量は、表示させる画像の画像信号から求められる。
【０００５】
すなわち、図１では、矢印Ａ１１に示す階段状の波形の画像信号が、発光量算出部１１および除算部１２に入力され、発光量算出部１１において、画像信号を基に、１つのバックライトの発光すべき光量が算出される。
【０００６】
ここで、１つのバックライトの大きさは、液晶パネルの表示領域の画素の大きさよりも大きいので、バックライトの光量は、そのバックライトに対応する液晶パネルの表示領域に表示される画像の各画素の画素値、より詳細には輝度値から算出される。また、バックライトからの光は、矢印Ａ１２に示すように、液晶パネルの表示領域の各位置に均一に入射するようになされる。
【０００７】
なお、図１における矢印Ａ１１乃至矢印Ａ１３に示される波形の横方向は、画像信号に基づく画像、またはその画像を表示する液晶パネルの表示領域の画素の位置を示しており、縦方向は輝度を示している。
【０００８】
また、除算部１２では、供給された画像信号を、発光量算出部１１からの光量で除算することにより、バックライトに対応する液晶パネルの表示領域における光の透過率が算出される。
【０００９】
そして光量および透過率が算出されると、バックライトは、発光量算出部１１により算出された光量に基づいて発光し、液晶パネルに光を入射させる。また、液晶パネルは、除算部１２により算出された透過率で、バックライトからの光を透過させる。これにより、液晶パネルの表示領域には、入力された画像信号の画像とほぼ同じ画像が表示されることになる。
【００１０】
しかしながら、発光量算出部１１により算出された光量でバックライトが発光した場合に、バックライトから液晶パネルに入射する光の輝度が、入力された画像信号に基づく画像を表示させるのに必要とされる輝度よりも低くなってしまう場合がある。
【００１１】
すなわち、矢印Ａ１２に示される光の光量（輝度）が、矢印Ａ１１に示した画像における所定の領域を表示するのに不足している場合、除算部１２により求められた、液晶パネルの表示領域の画素の透過率は、矢印Ａ１３に示すように１００％を超えてしまう。図１では、矢印Ａ１３に示される表示領域の各画素の透過率において、点線で示される部分が、透過率１００％を超えた部分を示している。
【００１２】
例えば、バックライトと液晶パネルとでは動作時の応答速度が異なり、また、バックライトからの光の光量の変更と、液晶パネルの透過率の変更とは同期しないため、バックライトからの光の光量が急激に変化すると、画像の画質が劣化することが知られている。特に、表示させようとする画像が動画像である場合に、バックライトからの光の光量が急激に変化し、画像の画質が顕著に劣化することがある。
【００１３】
そこで、このような画質の劣化を抑制するために、発光量算出部１１において、算出された光量に巡回処理を施すことが考えられる。そのような場合、発光量算出部１１が、巡回処理を行い、これから表示しようとする画像のフレームの光量と、そのフレームの直前のフレームの光量とに基づいて、これから表示しようとするフレームの最終的な光量を算出することで、光量の急激な変化が抑制される。
【００１４】
ところが、光量に巡回処理を施すと、光量の急激な変化が抑制されるため、巡回処理により最終的に求められた光量、つまりバックライトからの光の輝度が、これから表示しようとする画像を表示するために必要とされる輝度よりも低くなってしまうことがある。
【００１５】
このように、バックライトからの光の光量が不足すると、液晶パネルに表示される画像上の一部の領域では、輝度変化が失われて画像の画質が劣化してしまう。つまり、液晶パネルの画素は、１００％を超える透過率で光を透過させることはできないので、算出された透過率が１００％以上である画素により表示される画像の輝度は全て同じ値となってしまう。
【００１６】
以上のように、バックライトを利用して液晶パネルに画像を表示させる場合、入力される画像信号によっては、バックライトから射出させる光の光量の制御が適切に行われず、表示される画像の画質が劣化してしまう場合があった。
【００１７】
本発明は、このような状況に鑑みてなされたものであり、バックライトからの光の光量の不足による画質の劣化を抑制することができるようにするものである。
【課題を解決するための手段】
【００１８】
本発明の一側面の表示制御装置は、光を透過させて表示画像を表示する表示パネルに入射させる光であって、バックライトに射出させる光の輝度を示すバックライト輝度を、前記表示画像の画像信号に基づいて算出する輝度算出手段と、これから表示しようとする前記表示画像である未表示画像が動画像である場合、前記未表示画像よりも時間的に前に表示される前記表示画像である前表示画像の前記バックライト輝度を補正する、前記バックライト輝度の不足を抑制するためのマージンとしての補正値を増加させて、前記未表示画像の前記補正値とし、前記未表示画像が静止画像である場合、前記前表示画像の前記補正値を減少させて前記未表示画像の前記補正値とする補正値変更手段と、前記補正値変更手段により変更された前記補正値を、前記未表示画像の前記バックライト輝度に加算することで、前記バックライト輝度を補正する補正手段とを備える。
【００１９】
表示制御装置には、前記未表示画像が動画像である場合、前記未表示画像の前記補正値の上限値を設定し、前記補正値が前記上限値より大きいとき、前記上限値を前記未表示画像の前記補正値とする制限手段をさらに設けることができる。
【００２０】
表示制御装置には、前記画像信号に基づいて、前記未表示画像から動きを検出する動き検出手段をさらに設け、前記制限手段には、前記未表示画像から検出された動きの動き量に応じた前記上限値を設定させることができる。
【００２１】
前記制限手段には、前記未表示画像が静止画像である場合、前記未表示画像の前記補正値の下限値を設定させ、前記補正値が前記下限値より小さいとき、前記下限値を前記未表示画像の前記補正値とさせることができる。
【００２２】
前記制限手段には、前記表示画像が動画像であり、前記前表示画像の前記補正値が、前記未表示画像の前記上限値より大きい場合、前記上限値の設定を解除するとともに前記下限値を設定させ、前記補正値変更手段には、前記前表示画像の前記補正値を減少させて前記未表示画像の前記補正値とさせることができる。
【００２３】
本発明の一側面の表示制御方法またはプログラムは、光を透過させて表示画像を表示する表示パネルに入射させる光であって、バックライトに射出させる光の輝度を示すバックライト輝度を、前記表示画像の画像信号に基づいて算出し、これから表示しようとする前記表示画像である未表示画像が動画像である場合、前記未表示画像よりも時間的に前に表示される前記表示画像である前表示画像の前記バックライト輝度を補正する、前記バックライト輝度の不足を抑制するためのマージンとしての補正値を増加させて、前記未表示画像の前記補正値とし、前記未表示画像が静止画像である場合、前記前表示画像の前記補正値を減少させて前記未表示画像の前記補正値とし、変更された前記補正値を、前記未表示画像の前記バックライト輝度に加算することで、前記バックライト輝度を補正するステップを含む。
【００２４】
本発明の一側面においては、光を透過させて表示画像を表示する表示パネルに入射させる光であって、バックライトに射出させる光の輝度を示すバックライト輝度が、前記表示画像の画像信号に基づいて算出され、これから表示しようとする前記表示画像である未表示画像が動画像である場合、前記未表示画像よりも時間的に前に表示される前記表示画像である前表示画像の前記バックライト輝度を補正する、前記バックライト輝度の不足を抑制するためのマージンとしての補正値が増加されて、前記未表示画像の前記補正値とされ、前記未表示画像が静止画像である場合、前記前表示画像の前記補正値が減少されて前記未表示画像の前記補正値とされ、変更された前記補正値が、前記未表示画像の前記バックライト輝度に加算されることで、前記バックライト輝度が補正される。
【発明の効果】
【００２５】
本発明の一側面によれば、画像を表示させることができる。特に、本発明の一側面によれば、バックライトからの光の光量の不足による画質の劣化を抑制することができる。
【発明を実施するための最良の形態】
【００２６】
以下、図面を参照して、本発明を適用した実施の形態について説明する。
【００２７】
図２は、本発明を適用した表示装置の一実施の形態の構成例を示す図である。
【００２８】
表示装置６１は、表示制御部８１−１乃至表示制御部８１−４、バックライト制御部８２−１乃至バックライト制御部８２−４、バックライト８３−１乃至バックライト８３−４、液晶パネル制御部８４、および液晶パネル８５から構成される。
【００２９】
表示装置６１は、例えば、液晶ディスプレイなどの液晶表示装置であり、表示装置６１の表示制御部８１−１乃至表示制御部８１−４には、液晶パネル８５に表示させる表示画像の画像信号が入力される。
【００３０】
表示制御部８１−１乃至表示制御部８１−４は、入力された画像信号に基づいて、バックライト８３−１乃至バックライト８３−４に射出させる光の光量、より詳細には、光の輝度を示すバックライト輝度を算出して、バックライト制御部８２−１乃至バックライト制御部８２−４に供給する。
【００３１】
また、表示制御部８１−１乃至表示制御部８１−４は、画像信号に基づいて、バックライト８３−１乃至バックライト８３−４のそれぞれからの光の多くが入射する液晶パネル８５の表示領域のそれぞれについて、表示領域内の各画素の透過率を算出して液晶パネル制御部８４に供給する。この透過率は、例えば０から１までの間の値とされる。
【００３２】
なお、液晶パネル８５の表示領域の画素とは、画像の表示単位となり、Ｒ，Ｇ，Ｂのそれぞれの光を透過させる領域のそれぞれからなる１つのセルをいう。
【００３３】
バックライト制御部８２−１乃至バックライト制御部８２−４は、表示制御部８１−１乃至表示制御部８１−４から供給されたバックライト輝度に基づいて、バックライト８３−１乃至バックライト８３−４を制御し、発光させる。また、バックライト８３−１乃至バックライト８３−４は、バックライト制御部８２−１乃至バックライト制御部８２−４の制御にしたがって発光し、光を液晶パネル８５に入射させる。
【００３４】
液晶パネル制御部８４は、表示制御部８１−１乃至表示制御部８１−４から供給された各画素の透過率、すなわち開口率で、液晶パネル８５に光を透過させる。液晶パネル８５は、液晶パネル制御部８４から指示された透過率で、バックライト８３−１乃至バックライト８３−４から表示領域の各画素に入射した光を透過させ、表示画像を表示する。
【００３５】
なお、以下、表示制御部８１−１乃至表示制御部８１−４のそれぞれを個々に区別する必要のない場合、単に表示制御部８１と称し、バックライト制御部８２−１乃至バックライト制御部８２−４のそれぞれを個々に区別する必要のない場合、単にバックライト制御部８２と称する。また、以下、バックライト８３−１乃至バックライト８３−４のそれぞれを個々に区別する必要のない場合、単にバックライト８３と称する。
【００３６】
表示装置６１では、液晶パネル８５の背面に光源としてのバックライト８３が配置されており、バックライト８３から射出された光の多くは、そのバックライト８３に対向する液晶パネル８５の表示領域に入射する。例えば、バックライト８３−１から出射した光は、その多くが液晶パネル８５の図中、右斜め上側の部分に入射する。したがって、液晶パネル８５の図中、右斜め上側が明るく、他の部分が暗い画像を表示させる場合には、バックライト８３−１だけをある程度高い輝度で発光させ、他のバックライト８３−２乃至バックライト８３−４を比較的低い輝度で発光させることができる。これにより、バックライト８３の消費電力を抑えることができる。また、表示画像の輝度のダイナミックレンジをより広くすることができ、表示画像のコントラストを向上させることができる。
【００３７】
なお、表示装置６１には、透過型の液晶パネル８５が設けられているが、液晶パネルに限らず、バックライト８３からの光を透過させて画像を表示する透過型の表示パネルであれば、どのようなものであってもよい。
【００３８】
次に、図３は、図２の表示制御部８１のより詳細な構成例を示す図である。
【００３９】
表示制御部８１は、バックライト輝度算出部１２１、動画像判定部１２２、補正値算出部１２３、加算部１２４、入射輝度算出部１２５、および除算部１２６から構成される。
【００４０】
表示装置６１の表示制御部８１に入力された画像信号は、表示制御部８１のバックライト輝度算出部１２１、動画像判定部１２２、および除算部１２６に供給される。この画像信号は、動画像または静止画像の画像信号とされる。
【００４１】
バックライト輝度算出部１２１は、供給された画像信号に基づいて、バックライト８３に射出させる光のバックライト輝度を算出し、加算部１２４に供給する。
【００４２】
例えば、バックライト輝度算出部１２１は、画像信号に基づいて、その画像信号に基づく表示画像上の領域のうち、バックライト８３に対応する液晶パネル８５の表示領域に表示される領域の画素の輝度の最大値を求める。そして、バックライト輝度算出部１２１は、求めた最大値に基づいて、バックライト８３に射出させるべき光のバックライト輝度を求める。
【００４３】
なお、バックライト８３に対応する液晶パネル８５の表示領域とは、液晶パネル８５の全体の表示領域を仮想的に分割して得られる領域であって、液晶パネル８５の背面直下の１つのバックライト８３からの光の大部分が入射する領域をいう。
【００４４】
例えば、液晶パネル８５の表示領域を図２中、右上、左上、左下、および右下の４つの領域に仮想的に分割したとすると、バックライト８３−１乃至バックライト８３−４のそれぞれに対応する表示領域のそれぞれは、表示領域上の右上、左上、左下、および右下の領域のそれぞれとされる。以下、バックライト８３に対応する液晶パネル８５の表示領域を部分表示領域とも称する。
【００４５】
動画像判定部１２２は、供給された画像信号に基づいて動画像判定処理を行い、供給された画像信号に基づく表示画像が動画像であるか否かを判定する。例えば、動画像判定部１２２は、これから表示しようとする表示画像と、その表示画像の直前に液晶パネル８５に表示される表示画像とを用いて、動き検出を行うことにより、供給された画像信号の表示画像が動画像であるか、または静止画像であるかを特定する。
【００４６】
動画像判定部１２２は、動画像判定処理による判定結果を示す画像情報と、検出された動きの動き量を示す動き情報とを補正値算出部１２３に供給する。
【００４７】
なお、表示装置６１では、連続して表示画像が表示されるため、例えば表示画像として、動画像が表示された後、複数の静止画像が順番に表示される場合があるが、以下の説明では、表示装置６１において連続して表示される表示画像のそれぞれを、１つのコマ、つまり１つのフレームの画像と呼ぶこととする。
【００４８】
補正値算出部１２３は、動画像判定部１２２から供給された画像情報および動き情報に基づいて、バックライト輝度を補正するための補正値を算出し、加算部１２４に供給する。加算部１２４は、バックライト輝度算出部１２１からのバックライト輝度に、補正値算出部１２３からの補正値を加算することにより、バックライト輝度を補正する。また、加算部１２４は、補正されたバックライト輝度をバックライト制御部８２、および入射輝度算出部１２５に供給する。
【００４９】
入射輝度算出部１２５は、加算部１２４から供給されたバックライト輝度に基づいて、バックライト８３に対応する液晶パネル８５の部分表示領域の各画素について、バックライト８３から画素に入射すると推定される光の輝度を示す画素入射輝度を算出する。すなわち、画素入射輝度は、供給されたバックライト輝度でバックライト８３が発光した場合に、バックライト８３から部分表示領域の画素に入射すると推定される光の輝度を示す情報である。
【００５０】
例えば、入射輝度算出部１２５は、バックライト８３が発光した場合に、バックライト８３から射出された光がどのように拡散するかを示すプロファイルを予め保持している。そして、入射輝度算出部１２５は、保持しているプロファイルを用いて、加算部１２４から供給されたバックライト輝度でバックライト８３が発光したときに、そのバックライト８３に対応する液晶パネル８５の部分表示領域の各画素に、バックライト８３から入射すると推定される光の輝度を求め、それらの画素ごとの輝度を画素入射輝度とする。
【００５１】
入射輝度算出部１２５は、部分表示領域の各画素の画素入射輝度を求めると、それらの画素入射輝度を除算部１２６に供給する。
【００５２】
除算部１２６は、供給された画像信号の信号値、より詳細にはその信号値（表示画像の画素値）から求まる輝度を、入射輝度算出部１２５からの画素入射輝度で除算して、部分表示領域の各画素の透過率を算出する。そして、除算部１２６は、算出した画素ごとの透過率を液晶パネル制御部８４に供給する。
【００５３】
例えば、部分表示領域の注目している画素を注目画素と呼ぶこととする。また、その注目画素の画素入射輝度をＣＬとし、バックライト８３のバックライト輝度をＢＬとするとともに、注目画素と同じ位置にある表示画像上の画素、つまり注目画素に表示される画像が表示される、表示画像上の画素の輝度をＩＬとする。さらに、注目画素における光の透過率をＴとする。
【００５４】
この場合、バックライト８３をバックライト輝度ＢＬで発光させると、バックライト８３から注目画素に入射する光の輝度、つまり注目画素の画素入射輝度は、ＣＬとなる。そして、注目画素が透過率Ｔで、バックライト８３から入射した、画素入射輝度ＣＬの光を透過させると、注目画素から射出される光の輝度、つまり液晶パネル８５を見ているユーザにより知覚される注目画素の輝度（以下、表示輝度ＯＬとも称する）は、画素入射輝度ＣＬ×透過率Ｔで表される。表示輝度ＯＬが表示画像の画素の輝度ＩＬと等しければ、液晶パネル８５には表示画像と同じ画像が表示されるため、表示輝度ＯＬと輝度ＩＬとが等しいとすると、次式（１）が成立する。
【００５５】
透過率Ｔ＝（表示画像の画素の輝度ＩＬ）／（画素入射輝度ＣＬ）      ・・・（１）
【００５６】
したがって、除算部１２６は、供給された、注目画素に対応する表示画像の画素の画素値を表す画像信号の信号値、より詳細には、表示画像の画素の輝度ＩＬを、入射輝度算出部１２５から供給された注目画素の画素入射輝度ＣＬで除算することにより、注目画素の適切な透過率Ｔを算出することができる。
【００５７】
次に、図４は、図３の補正値算出部１２３のより詳細な構成例を示すブロック図である。
【００５８】
補正値算出部１２３は、変更部１５１および制限部１５２から構成される。
【００５９】
変更部１５１には、制限部１５２から、これから表示しようとする表示画像の時間的に１つ前のフレームの表示画像に対する補正値が供給されるとともに、動画像判定部１２２から画像情報が供給される。変更部１５１は、供給された画像情報に基づいて、制限部１５２からの補正値を変更し、変更後の補正値を制限部１５２に供給する。
【００６０】
制限部１５２には、動画像判定部１２２から画像情報および動き情報が供給される。制限部１５２は、供給された画像情報および動き情報に基づいて、補正値を制限するときの上限または下限となる制限値を設定する。
【００６１】
具体的には、制限部１５２は、これから表示しようとする表示画像が動画像である旨の画像情報が供給された場合、供給された動き情報により示される動き量に応じて、補正値の上限値を制限値として設定する。また、制限部１５２は、これから表示しようとする表示画像が静止画像である旨の画像情報が供給された場合、補正値の下限値を制限値として設定する。
【００６２】
制限部１５２は、変更部１５１からの補正値を、設定した制限値で制限し、最終的な補正値とする。また、制限部１５２は、最終的な補正値を変更部１５１および加算部１２４に供給する。
【００６３】
ところで、表示装置６１に表示画像の画像信号が供給され、表示画像の表示が指示されると、表示装置６１は、その指示に応じて、表示画像を表示する表示処理を開始する。以下、図５のフローチャートを参照して、表示装置６１による表示処理について説明する。
【００６４】
ステップＳ１１において、バックライト輝度算出部１２１は、入力された画像信号に基づいて、バックライト８３のバックライト輝度を算出する。また、バックライト輝度算出部１２１は、巡回処理を行って、算出されたバックライト輝度を補正し、補正されたバックライト輝度を加算部１２４に供給する。
【００６５】
すなわち、バックライト輝度算出部１２１は、表示しようとするフレームのバックライト輝度を、時間的に直前のフレームのバックライト輝度から減算してバックライト輝度の差分を求め、その差分に、予め定められた巡回係数を乗算する。そして、バックライト輝度算出部１２１は、表示しようとするフレームのバックライト輝度に、巡回係数が乗算された差分を加算することにより、バックライト輝度を補正する。
【００６６】
このように、バックライト輝度に巡回処理を施すことで、表示画像の輝度が急激に変化する場合であっても、バックライト輝度が急激に変化することはない。つまり、巡回係数に応じた速度でバックライト輝度が徐々に変化する。そのため、表示の急激な切り替わりを緩和することができ、バックライト輝度の急激な変化により生じる画像の画質の劣化を抑制することができる。
【００６７】
ステップＳ１２において、表示制御部８１は、バックライト輝度補正処理を行って、バックライト輝度算出部１２１により算出されたバックライト輝度を補正する。バックライト輝度補正処理により補正されたバックライト輝度は、加算部１２４からバックライト制御部８２および入射輝度算出部１２５に供給される。なお、バックライト輝度補正処理の詳細は後述する。
【００６８】
ステップＳ１３において、入射輝度算出部１２５は、加算部１２４から供給されたバックライト輝度に基づいて、バックライト８３に対応する液晶パネル８５の部分表示領域の画素ごとに、画素入射輝度を算出する。入射輝度算出部１２５は、算出した画素入射輝度を除算部１２６に供給する。
【００６９】
ステップＳ１４において、除算部１２６は、供給された画像信号を、入射輝度算出部１２５から供給された画素入射輝度で除算することにより、部分表示領域の画素ごとに、その画素の透過率を求め、液晶パネル制御部８４に供給する。
【００７０】
ステップＳ１５において、バックライト制御部８２は、加算部１２４から供給されたバックライト輝度に基づいて、そのバックライト輝度でバックライト８３を発光させる。また、バックライト８３は、バックライト制御部８２の制御に基づいて発光し、指定されたバックライト輝度の光を液晶パネル８５に入射させる。
【００７１】
なお、上述したステップＳ１１乃至ステップＳ１４の処理は、表示制御部８１−１乃至表示制御部８１−４のそれぞれにより個別に行われる。また、ステップＳ１５の処理は、バックライト制御部８２−１乃至バックライト制御部８２−４のそれぞれと、バックライト８３−１乃至バックライト８３−４のそれぞれとにより、個別に行われる。
【００７２】
ステップＳ１６において、液晶パネル制御部８４は、表示制御部８１から供給された液晶パネル８５の表示領域の画素ごとの透過率に基づいて、液晶パネル８５の動作を制御し、各画素の透過率を変更させる。
【００７３】
ステップＳ１７において、液晶パネル８５は、液晶パネル制御部８４の制御に基づいて、表示領域の画素の透過率を、画素ごとに指定された透過率に変更して、バックライト８３から入射した光を透過させることにより、表示画像を表示する。
【００７４】
ステップＳ１８において、表示装置６１は、表示画像の表示を終了するか否かを判定する。例えば、ユーザにより表示画像の表示の終了が指示された場合、表示画像の表示を終了すると判定される。
【００７５】
ステップＳ１８において、表示画像の表示を終了しないと判定された場合、処理はステップＳ１１に戻り、上述した処理が繰り返される。つまり、次のフレームの表示画像について、バックライト輝度と透過率とが求められて、その表示画像が表示される。
【００７６】
これに対して、ステップＳ１８において、表示画像の表示を終了すると判定された場合、表示装置６１の各部は行っている処理を終了し、表示処理は終了する。
【００７７】
このようにして、表示装置６１は、画像信号が供給されると、バックライト輝度と透過率とを求めて表示画像を表示する。
【００７８】
表示装置６１によれば、補正値算出部１２３により補正値が求められ、求められた補正値によりバックライト輝度が補正される。このように、バックライト輝度に、マージンとしての補正値を加算することで、表示画像の輝度が急激に変化した場合であっても、バックライト輝度の不足を抑制することができ、その結果、輝度不足により生じる表示画像の画質の劣化を防止することができる。
【００７９】
次に、図６のフローチャートを参照して、図５のステップＳ１２の処理に対応するバックライト輝度補正処理について説明する。
【００８０】
ステップＳ４１において、動画像判定部１２２は、入力された画像信号に基づいて、動画像判定処理を行う。例えば、動画像判定部１２２は、これから表示しようとするフレームの表示画像と、そのフレームの時間的に直前のフレームの表示画像とに基づいて、ブロックマッチングや勾配法などにより、表示画像の動きベクトルを検出する。つまり、表示画像上の物体の動きが検出される。
【００８１】
そして、動画像判定部１２２は、表示画像からの動きの検出結果に基づいて、検出された動きの動き量を示す動き情報を生成するとともに、表示画像が動画像であるか否かを判定し、その判定結果を示す画像情報を生成する。例えば、表示画像から検出された動きの動き量が、所定の閾値以下である場合に、その表示画像は静止画像である、つまり動画像ではないと判定される。
【００８２】
動画像判定部１２２は、生成した画像情報を変更部１５１および制限部１５２に供給するとともに、生成した動き情報を制限部１５２に供給する。
【００８３】
なお、動画像判定部１２２による動画像判定処理において、連続する２つのフレームの表示画像の明るさ（輝度）の差分の変化に基づいて、表示画像が動画像であるか否かの判定が行われてもよい。
【００８４】
ステップＳ４２において、制限部１５２は、動画像判定部１２２からの画像情報および動き情報に基づいて、補正値の制限値を設定する。
【００８５】
すなわち、制限部１５２は、これから表示しようとする表示画像が静止画像である旨の画像情報が供給された場合、制限値として、補正値の下限値を設定する。例えば、下限値として０が設定され、この下限値により補正値が制限される場合、補正値が０未満のときには、補正値の下限値「０」が制限された補正値として出力される。
【００８６】
また、制限部１５２は、これから表示しようとする表示画像が動画像である旨の画像情報が供給された場合、制限値として、供給された動き情報により示される動き量に応じて、補正値の上限値を設定する。
【００８７】
具体的には、動き情報により示される動き量が、予め定められた閾値ＭＶ以下である場合、制限値として上限値ＵＬ１が設定され、動き情報により示される動き量が閾値ＭＶより大きい場合、制限値として、上限値ＵＬ１より大きい上限値ＵＬ２が設定される。つまり、表示画像の時間方向に対する変化の大きさに応じて、上限値が設定される。
【００８８】
例えば、上限値ＵＬ１が設定され、この上限値ＵＬ１により補正値が制限される場合、補正値が上限値ＵＬ１以上であるときには、補正値の上限値「ＵＬ１」が制限された補正値として出力される。
【００８９】
ここで、動き情報により示される動き量が閾値ＭＶより大きい場合に、上限値が、より大きい上限値ＵＬ２とされるのは、表示画像の動きベクトルの絶対値が大きいほど、表示画像は大きく変化するので、バックライト輝度が大きく変化する可能性が高いからである。つまり、上限値をより大きくすることで、補正値が上限値により制限されることで生じるバックライト８３からの光の光量不足を防止することができる。
【００９０】
ステップＳ４３において、変更部１５１は、基準となる時刻から、予め定められた所定の時間が経過したか否かを判定する。
【００９１】
変更部１５１は、バックライト輝度の急激な変化を抑制するため、予め定められた所定の時間間隔で補正値の変更を行う。例えば、変更部１５１は、液晶パネル８５に表示された表示画像の表示の切り替わった回数、つまり表示された表示画像のフレーム数をカウントし、所定の時間間隔として３フレームごとに補正値を更新する。
【００９２】
そのような場合、変更部１５１は、表示された表示画像のフレーム数を示すカウンタを保持しており、表示画像の表示が開始されると、表示画像が表示されるごとにカウンタの値をインクリメントしていく。そして、変更部１５１は、３フレーム分の表示画像が表示され、カウンタの値が「３」となると、予め定められた所定の時間が経過したと判定するとともに、カウンタの値を「０」にリセットし、再びフレーム数をカウントする。この場合において、カウンタの値が「０」にリセットされた時刻が、所定の時間が経過したか否かの判定時における基準となる時刻とされる。
【００９３】
ステップＳ４３において、所定の時間が経過していないと判定された場合、つまりまだ補正値を更新するタイミングとなっていない場合、処理はステップＳ４８に進む。
【００９４】
一方、ステップＳ４３において、所定の時間が経過したと判定された場合、つまり、補正値を更新するタイミングとなった場合、処理はステップＳ４４に進む。
【００９５】
ステップＳ４４において、変更部１５１は、画像情報に基づいて、基準となる時刻から、継続して表示画像としての動画像が表示されるか否かを判定する。
【００９６】
例えば、動画像判定部１２２から、動画像である旨の画像情報が供給され、かつこれから表示しようとするフレームの直前の３フレームにおいて、表示画像として動画像が表示された場合、ステップＳ４４において、継続して動画像が表示されると判定される。ここで、直前の３フレームにおいて動画像が表示されたか否かは、例えば、これまでに供給された画像情報に基づいて判定される。
【００９７】
ステップＳ４４において、継続して動画像が表示されると判定された場合、ステップＳ４５において、変更部１５１は、制限部１５２から供給された補正値を予め定められた値だけ増加させて、補正値を変更する。そして、変更部１５１は、変更された補正値を制限部１５２に供給し、その後処理はステップＳ４９に進む。
【００９８】
すなわち、表示画像として動画像が継続して表示される場合、バックライト輝度に巡回処理を施すと、動画像のシーンチェンジなどにより、バックライト８３に射出させるべき光の輝度が急激に増加したときに、バックライト輝度の変化が追いつかず、バックライト輝度が不足してしまう恐れがある。
【００９９】
そこで、所定の時間、継続して表示画像としての動画像が表示される場合には、変更部１５１は、バックライト輝度に加算される補正値を増加させることで、バックライト８３からの光の輝度不足により生じる表示画像の画質の劣化を防止する。つまり、表示画像としての動画像が継続して表示されると、補正値は徐々に増加していく。
【０１００】
また、ステップＳ４４において、継続して動画像が表示されないと判定された場合、ステップＳ４６において、変更部１５１は、基準となる時刻から、継続して表示画像としての静止画像が表示されるか否かを判定する。
【０１０１】
例えば、動画像判定部１２２から、静止画像である旨の画像情報が供給され、かつこれから表示しようとするフレームの直前の３フレームにおいて、表示画像として静止画像が表示された場合、ステップＳ４６において、継続して静止画像が表示されると判定される。
【０１０２】
ステップＳ４６において、継続して静止画像が表示されると判定された場合、ステップＳ４７において、変更部１５１は、制限部１５２から供給された補正値を予め定められた値だけ減少させて、補正値を変更する。そして、変更部１５１は、変更された補正値を制限部１５２に供給し、その後処理はステップＳ４９に進む。
【０１０３】
すなわち、表示画像として静止画像が継続して表示される場合、バックライト輝度が急激に変化することは殆どないため、バックライト８３の発光量が不足する恐れも殆どない。そこで、変更部１５１は、所定の時間、継続して表示画像としての静止画像が表示される場合には、バックライト輝度に加算される補正値を減少させる。つまり、表示画像としての静止画像が継続して表示されると、補正値は徐々に減少していく。これにより、バックライト８３からの光の輝度不足により生じる表示画像の画質の劣化を防止するとともに、バックライト輝度を適切に減少させて、表示画像のコントラストを向上させることができる。
【０１０４】
また、ステップＳ４６において、継続して静止画像が表示されないと判定された場合、つまり、所定の期間の間に、表示画像として動画像が表示されたり、静止画像が表示されたりする場合、処理はステップＳ４８に進む。
【０１０５】
ステップＳ４６において、継続して静止画像が表示されないと判定されたか、またはステップＳ４３において、所定の時間が経過していないと判定されると、ステップＳ４８において、変更部１５１は、制限部１５２から供給された補正値をそのまま制限部１５２に供給する。変更部１５１から制限部１５２に補正値が供給されると、その後、処理はステップＳ４９に進む。
【０１０６】
ステップＳ４５、ステップＳ４７、またはステップＳ４８において、変更部１５１から制限部１５２に補正値が供給されると、ステップＳ４９において、制限部１５２は制限処理を行って、変更部１５１から供給された補正値を制限する。
【０１０７】
すなわち、例えば、ステップＳ４２の処理において、制限値として下限値が設定された場合、制限部１５２は、変更部１５１からの補正値が下限値以上であるときには、補正値をそのまま変更部１５１および加算部１２４に供給する。また、制限値として下限値が設定され、変更部１５１からの補正値が下限値未満であるときには、制限部１５２は、設定された下限値を、制限後の補正値として変更部１５１および加算部１２４に供給する。
【０１０８】
ここで、補正値が下限値より小さくならないように制限されるのは、補正値が小さくなり過ぎて、その結果、必要以上にバックライト輝度が小さくなることを防止するためである。このように、継続して静止画像が表示される場合に、補正値を適切に減少させることにより、表示画像のコントラストを向上させることができる。
【０１０９】
一方、例えば、ステップＳ４２の処理において、制限値として上限値が設定された場合、制限部１５２は、変更部１５１からの補正値が上限値以下であるときには、補正値をそのまま変更部１５１および加算部１２４に供給する。また、制限値として上限値が設定され、変更部１５１からの補正値が上限値より大きいときには、制限部１５２は、設定された上限値を、制限後の補正値として変更部１５１および加算部１２４に供給する。
【０１１０】
ここで、補正値が上限値より大きくならないように制限されるのは、補正値が大きくなり過ぎて、必要以上にバックライト輝度が大きくなることを防止するためである。このように、継続して動画像が表示される場合に、補正値を適切に増加させることにより、バックライト８３からの光の光量不足により生じる表示画像の画質の劣化を防止することができるとともに、バックライト輝度が大きくなり過ぎて、表示画像が明るくなり過ぎることを防止することができる。
【０１１１】
ステップＳ５０において、加算部１２４は、バックライト輝度算出部１２１から供給されたバックライト輝度に、制限部１５２から供給された補正値を加算することにより、バックライト輝度を補正する。そして、加算部１２４は、補正されたバックライト輝度をバックライト制御部８２および入射輝度算出部１２５に供給してバックライト輝度補正処理は終了し、処理は図５のステップＳ１３に進む。
【０１１２】
このようにして、表示制御部８１は、表示画像として動画像または静止画像が所定の時間継続して表示される場合、所定の時間間が経過するごとに補正値を変更する。
【０１１３】
このように、所定の時間が経過するごとにバックライト輝度に加算される補正値を、適切に変更することで、表示画像のコントラストを向上させるとともに、バックライト８３からの光の光量（輝度）不足により生じる表示画像の画質の劣化を防止することができる。
【０１１４】
例えば、バックライトからの光の光量不足を防止するために、常に一定の値の補正値をバックライト輝度に加算するようにしてもよいが、そのような場合、表示画像によってはバックライト輝度が大き過ぎることがあり、表示画像のコントラストが低下してしまう。
【０１１５】
これに対して、表示装置６１では、比較的バックライト８３からの光の光量不足が生じにくい静止画像が、表示画像として継続して表示される場合には、時間とともに補正値を減少させていくことにより、表示画像の画質の劣化を防止しつつ、コントラストの向上を図ることができる。また、表示画像として静止画像が表示される場合には、制限値として補正値の下限値を設定することで、バックライト輝度が小さくなり過ぎることを防止することができ、その結果、光量不足による表示画像の画質の劣化が防止される。
【０１１６】
さらに、バックライト８３からの光の光量不足が生じやすい動画像が、表示画像として継続して表示される場合には、時間とともに補正値を増加させていくことにより、表示画像の画質の劣化を防止することができる。また、表示画像として動画像が表示される場合には、制限値として補正値の上限値を設定することで、バックライト輝度が大きくなり過ぎることを防止することができ、その結果、表示画像のコントラストの劣化が抑制される。
【０１１７】
なお、以上においては、変更部１５１が所定の時間が経過するごとに補正値を変更すると説明したが、補正値が随時更新され、更新された補正値、または前回出力された補正値のうちの何れか一方が選択されて出力されるようにしてもよい。
【０１１８】
そのような場合、例えば補正値算出部１２３は、図７に示す構成とされる。なお、図７において、図４における場合と対応する部分には、同一の符号を付してあり、その説明は適宜、省略する。すなわち、図７に示す補正値算出部１２３には、図４の補正値算出部１２３に、さらに出力切り替え部１８１が設けられている。
【０１１９】
出力切り替え部１８１には、前回、最終的な補正値として出力切り替え部１８１から出力された補正値と、制限部１５２から出力された変更後の補正値とが供給され、出力切り替え部１８１は、供給された２つの補正値のうちの何れか一方を選択して出力する。つまり、これから表示しようとするフレームの変更後の補正値と、そのフレームの時間的に１つ前のフレームの最終的な補正値とのうちの何れか一方が、これから表示しようとするフレームの最終的な補正値として出力される。
【０１２０】
補正値算出部１２３が図７に示す構成とされる場合においても、図５を参照して説明した表示処理が行われて、表示画像が表示される。
【０１２１】
次に、図８のフローチャートを参照して、補正値算出部１２３が図７に示す構成とされる場合における、図５のステップＳ１２の処理に対応するバックライト輝度補正処理について説明する。なお、ステップＳ８１およびステップＳ８２の処理は、図６のステップＳ４１およびステップＳ４２の処理と同様であるので、その説明は省略する。
【０１２２】
ステップＳ８３において、変更部１５１は、動画像判定部１２２から供給された画像情報に基づいて、表示画像として動画像を表示するか否か、すなわちこれから表示しようとする表示画像が動画像であるか否かを判定する。
【０１２３】
ステップＳ８３において、動画像を表示すると判定された場合、ステップＳ８４において、変更部１５１は、出力切り替え部１８１から供給された補正値を予め定められた値だけ増加させて、補正値を変更する。そして、変更部１５１は、変更された補正値を制限部１５２に供給し、その後処理はステップＳ８６に進む。
【０１２４】
これに対して、ステップＳ８３において、動画像を表示しないと判定された場合、つまり表示画像として静止画像が表示される場合、ステップＳ８５において、変更部１５１は、出力切り替え部１８１から供給された補正値を予め定められた値だけ減少させて、補正値を変更する。そして、変更部１５１は、変更された補正値を制限部１５２に供給し、その後処理はステップＳ８６に進む。
【０１２５】
ステップＳ８４またはステップＳ８５において、補正値が変更されると、ステップＳ８６において、制限部１５２は制限処理を行って、変更部１５１から供給された補正値を制限する。なお、ステップＳ８６において行われる制限処理は、図６のステップＳ４９において行われる制限処理と同様の処理であるため、その詳細な説明は省略する。
【０１２６】
制限部１５２により制限処理が行われると、その結果得られた補正値が、制限部１５２から出力切り替え部１８１に供給される。
【０１２７】
ステップＳ８７において、出力切り替え部１８１は、基準となる時刻から、予め定められた所定の時間が経過したか否かを判定する。
【０１２８】
出力切り替え部１８１は、バックライト輝度の急激な変化を抑制するため、予め定められた所定の時間間隔で補正値が変更されるように、補正値の出力を切り替える。例えば、出力切り替え部１８１は、液晶パネル８５に表示された表示画像の表示の切り替わった回数、つまり表示された表示画像のフレーム数をカウントし、所定の時間間隔として３フレームごとに制限部１５２から供給された補正値が出力されるように、補正値の出力を切り替える。
【０１２９】
そのような場合、出力切り替え部１８１は、表示された表示画像のフレーム数を示すカウンタを保持しており、表示画像の表示が開始されると、表示画像が表示されるごとにカウンタの値をインクリメントしていく。そして、出力切り替え部１８１は、３フレーム分の表示画像が表示され、カウンタの値が「３」となると、予め定められた所定の時間が経過したと判定するとともに、カウンタの値を「０」にリセットし、再びフレーム数をカウントする。
【０１３０】
ステップＳ８７において、所定の時間が経過したと判定された場合、つまり補正値を更新するタイミングとなった場合、処理はステップＳ８８に進む。
【０１３１】
ステップＳ８８において、出力切り替え部１８１は、変更された補正値、つまり制限部１５２から供給された補正値を、これから表示しようとする表示画像のバックライト輝度に対する補正値として出力する。出力切り替え部１８１から出力された補正値は、出力切り替え部１８１、変更部１５１、および加算部１２４に供給され、その後、処理はステップＳ９０に進む。
【０１３２】
これに対して、ステップＳ８７において、所定の時間が経過していないと判定された場合、つまりまだ補正値を更新するタイミングとなっていない場合、処理はステップＳ８９に進む。
【０１３３】
ステップＳ８９において、出力切り替え部１８１は、前回出力した補正値と同じ補正値、つまり出力切り替え部１８１から出力され、出力切り替え部１８１自身に供給された補正値を、これから表示しようとする表示画像のバックライト輝度に対する補正値として出力する。出力切り替え部１８１から出力された補正値は、出力切り替え部１８１、変更部１５１、および加算部１２４に供給され、その後、処理はステップＳ９０に進む。
【０１３４】
ステップＳ８８またはステップＳ８９において、補正値が出力されると、ステップＳ９０において、加算部１２４は、バックライト輝度算出部１２１から供給されたバックライト輝度に、出力切り替え部１８１から供給された補正値を加算することにより、バックライト輝度を補正する。そして、加算部１２４は、補正されたバックライト輝度をバックライト制御部８２および入射輝度算出部１２５に供給してバックライト輝度補正処理は終了し、処理は図５のステップＳ１３に進む。
【０１３５】
このようにして、表示制御部８１は、所定の時間間隔で、表示画像が動画像であるか、または静止画像であるかに応じて補正値を変更する。
【０１３６】
このように、所定の時間間隔で、表示画像が動画像であるか、または静止画像であるかに応じて、バックライト輝度に加算される補正値を適切に変更することで、表示画像のコントラストを向上させるとともに、バックライト８３からの光の光量（輝度）不足により生じる表示画像の画質の劣化を防止することができる。
【０１３７】
なお、変更部１５１において変更された補正値は、制限部１５２において制限されるが、制限値としての上限値が上限値ＵＬ２から、上限値ＵＬ２より小さい上限値ＵＬ１に変更されると、変更された補正値が上限値ＵＬ１により制限され、急激に小さくなってしまう場合がある。このように、補正値が急激に小さくなると、バックライト輝度も急激に小さくなるので、バックライト輝度の急激な変化により表示画像の画質が劣化する恐れがある。
【０１３８】
そこで、前回出力された補正値が、今回設定された制限値としての上限値より大きい場合、つまり制限値としての上限値が、より小さい上限値に変更された場合、制限値が設定し直されて補正値の急激な減少が防止されるようにしてもよい。
【０１３９】
そのような場合、補正値算出部１２３では、例えば図９に示すように、制限部１５２は、設定された制限値を変更部１５１に通知し、変更部１５１は、出力切り替え部１８１からの補正値が、制限部１５２から通知された制限値としての上限値よりも大きい場合に、制限部１５２に対して制限値の再設定を要求する。
【０１４０】
そして、制限部１５２は、変更部１５１からの要求に応じて制限値を設定し直す。すなわち、制限部１５２は、制限値として上限値ではなく下限値を設定する。これにより、補正値の急激な減少が防止される。その結果、バックライト輝度の急激な減少により生じる表示画像の画質の劣化を防止することができる。
【０１４１】
なお、図９に示す補正値算出部１２３において、図７における場合と対応する部分には同一の符号を付してあり、その説明は、適宜、省略する。すなわち、図９の補正値算出部１２３は、変更部１５１と制限部１５２とが相互に情報の授受を行う点で、図７の補正値算出部１２３と異なる。
【０１４２】
補正値算出部１２３が図９に示す構成とされる場合においても、図５を参照して説明した表示処理が行われて、表示画像が表示される。
【０１４３】
次に、図１０のフローチャートを参照して、補正値算出部１２３が図９に示す構成とされる場合における、図５のステップＳ１２の処理に対応するバックライト輝度補正処理について説明する。
【０１４４】
なお、ステップＳ１２１およびステップＳ１２２の処理は、図８のステップＳ８１およびステップＳ８２の処理と同様であるので、その説明は省略する。但し、ステップＳ１２２において、制限部１５２により制限値が設定されると、制限部１５２から変更部１５１には、設定された制限値が供給される。
【０１４５】
ステップＳ１２３において、変更部１５１は、動画像判定部１２２から供給された画像情報に基づいて、表示画像として動画像を表示するか否か、すなわちこれから表示しようとする表示画像が動画像であるか否かを判定する。
【０１４６】
ステップＳ１２３において、動画像を表示すると判定された場合、ステップＳ１２４において、変更部１５１は、前回の補正値、つまり出力切り替え部１８１から供給された補正値が、制限部１５２から供給された制限値としての上限値よりも大きいか否かを判定する。すなわち、表示画像として動画像が表示される場合、制限値として、動き情報により示される動き量に応じた上限値が設定されるので、前回の補正値と、設定された上限値とが比較される。
【０１４７】
ステップＳ１２４において、前回の補正値が上限値よりも大きくないと判定された場合、ステップＳ１２５において、変更部１５１は、出力切り替え部１８１から供給された補正値を予め定められた値だけ増加させて、補正値を変更する。そして、変更部１５１は、変更された補正値を制限部１５２に供給し、その後処理はステップＳ１２８に進む。
【０１４８】
すなわち、前回の補正値が、新たに設定された上限値以下である場合、変更された補正値が、上限値により制限されて急激に減少することはないので、前回の補正値が予め定められた値だけ増加するように、補正値の変更が行われる。
【０１４９】
これに対して、ステップＳ１２４において、前回の補正値が上限値よりも大きいと判定された場合、変更された補正値が、上限値により制限されて急激に減少する恐れがあるので、変更部１５１は、制限部１５２に対して制限値の再設定を要求し、処理はステップＳ１２６に進む。
【０１５０】
ステップＳ１２６において、制限部１５２は、変更部１５１からの要求に応じて、制限値を設定し直す。すなわち、制限部１５２は、制限値としての上限値の設定を解除し、新たに制限値として、予め定められた下限値を設定する。これにより、変更後の補正値がこれまで設定されていた上限値により制限されて、急激に減少することを防止することができる。
【０１５１】
ステップＳ１２６において、制限値が設定し直されると、その後、処理はステップＳ１２７に進む。
【０１５２】
また、ステップＳ１２３において、動画像を表示しないと判定された場合、つまり表示画像として静止画像が表示される場合、処理はステップＳ１２７に進む。
【０１５３】
ステップＳ１２６において制限値が設定し直されるか、またはステップＳ１２３において動画像を表示しないと判定されると、ステップＳ１２７において、変更部１５１は、出力切り替え部１８１から供給された補正値を予め定められた値だけ減少させて、補正値を変更する。そして、変更部１５１は、変更された補正値を制限部１５２に供給し、その後処理はステップＳ１２８に進む。
【０１５４】
ステップＳ１２５またはステップＳ１２７において、補正値が変更されると、その後、ステップＳ１２８乃至ステップＳ１３２の処理が行われるが、これらの処理は、図８のステップＳ８６乃至ステップＳ９０の処理と同様であるので、その説明は省略する。
【０１５５】
ステップＳ１３２において、バックライト輝度が補正されると、補正されたバックライト輝度は、加算部１２４からバックライト制御部８２および入射輝度算出部１２５に供給されてバックライト輝度補正処理は終了し、処理は図５のステップＳ１３に進む。
【０１５６】
このように、表示制御部８１は、表示画像として動画像が表示される場合、前回の補正値が設定された制限値としての上限値より大きい場合には、制限値を設定し直して補正値の急激な減少を防止するとともに、補正値を減少させる。これにより、バックライト輝度の急激な減少により生じる表示画像の画質の劣化を防止することができる。
【０１５７】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１５８】
図１１は、上述した一連の処理をプログラムにより実行するコンピュータのハードウェアの構成例を示すブロック図である。
【０１５９】
コンピュータにおいて、CPU（Central Processing Unit）５０１，ROM（Read Only Memory）５０２，RAM（Random Access Memory）５０３は、バス５０４により相互に接続されている。
【０１６０】
バス５０４には、さらに、入出力インターフェース５０５が接続されている。入出力インターフェース５０５には、キーボード、マウス、マイクロホンなどよりなる入力部５０６、ディスプレイ、スピーカなどよりなる出力部５０７、ハードディスクや不揮発性のメモリなどよりなる記録部５０８、ネットワークインターフェースなどよりなる通信部５０９、磁気ディスク、光ディスク、光磁気ディスク、或いは半導体メモリなどのリムーバブルメディア５１１を駆動するドライブ５１０が接続されている。
【０１６１】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０１６２】
コンピュータ（CPU５０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア５１１に記録して、あるいは、ローカルエリアネットワーク、インターネット、デジタル衛星放送といった、有線または無線の伝送媒体を介して提供される。
【０１６３】
そして、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０１６４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６５】
なお、本発明の実施の形態は、上述した実施の形態に限定されるものではなく、本発明の要旨を逸脱しない範囲において種々の変更が可能である。
【図面の簡単な説明】
【０１６６】
【図１】従来の液晶表示装置の構成を示す図である。
【図２】本発明を適用した表示装置の一実施の形態の構成例を示す図である。
【図３】表示制御部のより詳細な構成例を示す図である。
【図４】補正値算出部のより詳細な構成例を示す図である。
【図５】表示処理を説明するフローチャートである。
【図６】バックライト輝度補正処理を説明するフローチャートである。
【図７】補正値算出部の他の構成例を示す図である。
【図８】バックライト輝度補正処理を説明するフローチャートである。
【図９】補正値算出部の他の構成例を示す図である。
【図１０】バックライト輝度補正処理を説明するフローチャートである。
【図１１】コンピュータの構成例を示す図である。
【符号の説明】
【０１６７】
６１  表示装置，  ８１−１乃至８１−４，８１  表示制御部，  ８２−１乃至８２−４，８２  バックライト制御部，  ８３−１乃至８３−４，８３  バックライト，  ８４  液晶パネル制御部，  ８５  液晶パネル，  １２１  バックライト輝度算出部，  １２２  動画像判定部，  １２３  補正値算出部，  １２４  加算部，  １２５  入射輝度算出部，  １２６  除算部，  １５１  変更部，  １５２  制限部，  １８１  出力切り替え部
【図１】
0005218827.tif 000002
【図２】
0005218827.tif 000003
【図３】
0005218827.tif 000004
【図４】
0005218827.tif 000005
【図５】
0005218827.tif 000006
【図６】
0005218827.tif 000007
【図７】
0005218827.tif 000008
【図８】
0005218827.tif 000009
【図９】
0005218827.tif 000010
【図１０】
0005218827.tif 000011
【図１１】
0005218827.tif 000012